(57)【特許請求の範囲】
【請求項１】
入力映像信号の連続する３水平ラインにおける３つの各バースト信号とクロックとの位相差を順にθ３、θ２、θ１として出力する位相差検出手段と、
θ３−２×θ２＋θ１  を計算する計算手段と、
前記計算手段の結果と所定の閾値とを比較する比較手段と、
を有する放送方式判別装置。
【請求項２】
前記クロックは、入力映像信号とは独立に発振するクロックであることを特徴とする請求項１に記載の放送方式判別装置。
【請求項３】
入力映像信号のバースト信号のクロックとの位相差を検出し第１の位相差を出力する位相差検出手段と、
前記第１の位相差を水平同期信号のタイミングで保持し第２の位相差として出力する第１のサンプルホールド手段と、
前記第２の位相差を水平同期信号のタイミングで保持し第３の位相差として出力する第２のサンプルホールド手段と、
上記第２の位相差から上記第１の位相差を減算し第４の位相差として出力する第１の減算手段と、
上記第３の位相差から上記第２の位相差を減算し第５の位相差として出力する第２の減算手段と、
上記第５の位相差から上記第４の位相差を減算し第６の位相差として出力する第３の減算手段と、
上記第６の位相差と所定の閾値とを比較する比較手段と
を有する放送方式判別装置。
【請求項４】
入力映像信号の連続する３水平ラインにおける３つの各バースト信号とクロックとの位相差を順にθ３、θ２、θ１として出力する位相差検出ステップと、
θ３−２×θ２＋θ１  を計算する計算ステップと、
前記計算手段の結果と所定の閾値とを比較する比較ステップと、
を有する放送方式判別方法。
【請求項５】
前記クロックは、入力映像信号とは独立に発振するクロックであることを特徴とする請求項４に記載の放送方式判別方法。
【請求項６】
入力映像信号のバースト信号のクロックとの位相差を検出し第１の位相差を出力する位相差検出ステップと、
前記第１の位相差を水平同期信号のタイミングで保持し第２の位相差として出力する第１のサンプルホールドステップと、
前記第２の位相差を水平同期信号のタイミングで保持し第３の位相差として出力する第２のサンプルホールドステップと、
上記第２の位相差から上記第１の位相差を減算し第４の位相差として出力する第１の減算ステップと、
上記第３の位相差から上記第２の位相差を減算し第５の位相差として出力する第２の減算ステップと、
上記第５の位相差から上記第４の位相差を減算し第６の位相差として出力する第３の減算ステップと、
上記第６の位相差と所定の閾値とを比較する比較ステップと
を有する放送方式判別方法。
【発明の詳細な説明】
【０００１】
【発明の属する技術分野】
本発明は例えばＮＴＳＣ方式、ＰＡＬ方式などのように複数の放送信号を処理できる映像信号処理において放送方式の判別を行なう放送方式判別装置に関する。
【０００２】
【従来の技術】
カラーテレビジョン放送方式には、ＮＴＳＣ，ＰＡＬ等様々な方式がある。例えばＮＴＳＣ方式では色副搬送波周波数が３．５７９５４５ＭＨｚ（ｆSC-NTSC）、ＰＡＬ方式では色副搬送波周波数が４．４３３６１８７５ＭＨｚである。
【０００３】
更にＰＡＬ−Ｍ方式のように色副搬送波周波数が３．５７５６１１ＭＨｚ（ｆSC―PALM）というＮＴＳＣ方式とわずかに違う方式もある。
【０００４】
また、バースト信号の位相はＮＴＳＣ方式では常に一定であるがＰＡＬ方式では１水平走査期間（１Ｈ）毎に位相がB-Y軸に対して反転（以下、位相反転）しており位相差は９０度である。ヨーロッパでは１つの地域で複数の放送方式が受信できる地域もある為、テレビやビデオ等の複数のカラーテレビジョン放送を扱う機器には複数の放送方式に対応したものがあり、それらの機器においては放送方式を外部より設定したり、バースト信号の周波数や位相から判別する必要がある。
【０００５】
上記複数のカラーテレビジョン方式の中でもＮＴＳＣ方式とＰＡＬ−Ｍ方式を判別する際に、色副搬送波周波数の違いが約３．９３４ｋＨｚとわずかであり、周波数の違いにより放送方式を判別することは困難である。そこでＰＡＬ−Ｍ方式は１水平走査期間毎にバースト信号の位相が基準周波数に対して９０度オフセットしており、一方ＮＴＳＣ方式は１８０度オフセットしていることを利用して、２水平走査期間遅延させる遅延回路を用いて放送方式を判別する方法の一例が特公平７−７５４１７の「判別回路」に開示されている。
【０００６】
図８は従来の回路構成の概略を示している。２０１は遅延回路、２０２は減算回路、２０３はバースト抜き取り回路、２０４はバンドパスフィルタ、２０５はバーストレベル比較回路、２０６はしきい値である。
【０００７】
入力信号のバースト信号の位相が１H毎に１８０度オフセットしているときは入力信号と２H遅延信号の減算をおこなうとバースト信号の振幅が大きくなる。
【０００８】
逆に入力信号のバースト信号の位相が１H毎に９０度オフセットしているときは入力信号と２H遅延信号を減算すると信号が相殺されるためバースト信号の振幅がわずかになる。この減算結果のバースト部分を抜き取り、基準周波数を通過させるバンドパスフィルタを通した後、しきい値と比較することにより、放送方式を判別することが出来る。
【０００９】
【発明が解決しようとする課題】
しかしながらこのような判別回路において、例えば非標準信号のように水平同期周波数と色副搬送波周波数のあいだに相関がない場合は入力信号と２Ｈ遅延信号間のバースト信号の位相オフセット値の関係が崩れてくるため減算しても信号が相殺されなくなり、判別を誤るという課題があった。
【００１０】
【課題を解決するための手段】
上記課題を解決するため、本発明による第１の手段は、入力信号からバーストを抜き取るバースト抜き取り回路と、上記バースト抜き取り回路から出力される信号を色差信号にデコードするクロマデコード回路と、上記クロマデコード回路から出力される信号からバースト信号の位相角を検出するバースト位相角検出回路と、入力信号から水平同期信号を分離する水平同期分離回路と、上記バースト位相角検出回路からの出力を上記水平同期信号の出力信号によって１水平走査期間ホールドさせる第１のサンプルホールド回路と、上記第１のサンプルホールド回路からの出力を上記水平同期信号の出力信号によって１水平走査期間ホールドさせる第２のサンプルホールド回路と、上記第１のサンプルホールド回路の出力から上記バースト位相角検出回路の出力を減算する第１の減算回路と、上記第２のサンプルホールド回路の出力から上記第１のサンプルホールド回路の出力を減算する第２の減算回路と、上記第２の減算回路の出力から上記第１の減算回路の出力を減算する第３の減算回路と、上記第３の減算回路の出力としきい値とを比較する比較回路とを備えたことを特徴とするものである。
【００１１】
また、本発明の第２の手段は、入力信号からバーストを抜き取るバースト抜き取り回路と、上記バースト抜き取り回路から出力される信号を色差信号にデコードするクロマデコード回路と、上記クロマデコード回路から出力される信号からバースト信号の位相角を検出するバースト位相角検出回路と、入力信号から水平同期信号を分離する水平同期分離回路と、上記バースト位相角検出回路の出力を上記水平同期信号の出力信号によって１水平走査期間ホールドさせる第１のサンプルホールド回路と、上記第１のサンプルホールド回路の出力から上記バースト位相角検出回路の出力を減算する減算回路と、上記減算回路の出力を上記水平同期信号の出力信号によって１水平走査期間ホールドさせる第２のサンプルホールド回路と、上記第２のサンプルホールド回路からの出力と上記減算回路からの出力を加算する加算回路と、上記加算回路の出力としきい値とを比較する比較回路とを備えたことを特徴とするものである。
【００１２】
【発明の実施の形態】
以下本発明に実施の形態について説明する。
【００１３】
（実施の形態１）
図１は本発明の放送方式判別装置の第１の実施例を示している。図１において１は入力される映像信号からバースト信号を抽出するバースト抜き取り回路、２はバースト信号を色差信号（EY-B信号とEY-R信号）にデコードするクロマデコード回路、３はEY-B信号とEY-R信号からバースト信号の位相角を検出するバースト位相角検出回路、４と５は位相角を１水平走査期間ホールドさせるサンプルホールド回路、６，７，８は減算回路、９は比較回路、１０はしきい値、１１は入力される映像信号から水平同期信号を分離する水平同期分離回路である。
【００１４】
以上のように構成された放送方式判別回路について図１から図５を用いて説明する。まず、図１において入力される映像信号からバースト抜き取り回路１により、バースト信号を抜き取る。抜き取られたバースト信号はクロマデコード回路２でEY-B信号とEY-R信号に分離される。次にバースト位相角検出回路３でEY-B信号とEY-R信号により、バースト信号の位相角を検出する。
【００１５】
ここでバースト位相角検出回路３について説明する。システムクロックがバースト信号に対して位相ロックしていない場合にバースト抜き取り回路１で得られるバースト信号Ａの位相角がシステムクロックに対してθずれていたとすると、バースト位相角検出回路３に入力されるEY-B信号とEY-R信号は図２のようになる。このとき、バースト信号Ａ、EY-B信号、EY-R信号と位相角θの間には
【００１６】
【数１】
0003864797.tif 000002
【００１７】
【数２】
0003864797.tif 000003
【００１８】
【数３】
0003864797.tif 000004
【００１９】
【数４】
0003864797.tif 000005
【００２０】
の関係式が成立している。また、（数３）と（数４）より、
【００２１】
【数５】
0003864797.tif 000006
【００２２】
となる。
【００２３】
図３はバースト位相検出回路３の構成図である。２１、２２はバースト信号平均回路、２３は除算器、２４は位相算出回路である。入力されたEY-B信号とEY-R信号をバースト信号平均回路２１、２２より各々バースト期間の平均値を求め、得られた信号を除算器２３で除算すると式（５）より、tanθを求めることが出来る。更に位相検出回路２４でArc tanを取ることにより、位相角θを求めることが出来る。
【００２４】
上述のようにバースト位相角検出回路３から位相角θ１が出力されてサンプルホールド回路４へ入力される。一方、入力信号が水平同期分離回路１１に入力されて水平同期信号が出力される。水平同期信号によって位相角θ１がサンプルホールド回路４でＬｏａｄ／Ｈｏｌｄされて１Ｈ遅延の位相角θ２が出力され、更に位相角θ２がサンプルホールド回路５により２Ｈ遅延の位相角θ３を得ることが出来る。図４にサンプルホールド回路４、５の出力タイミング図を示す。減算回路６で位相角θ１と位相角θ２の１Ｈ差分位相角θ４を求め、減算回路７で位相角θ３と位相角θ２の１Ｈ差分位相角θ５を求める。最後に減算回路８で１Ｈ差分位相角θ５と１Ｈ差分差分角θ４の更に差分を取った差分位相角θ６を得る。
【００２５】
上記回路を具体的に説明すると、例えば入力映像信号の放送方式がＮＴＳＣ方式のようにバースト信号の位相角が常に一定の場合において、システムクロックがバーストにロックしていなければ、バースト位相角検出回路３から出力される位相角θ１は一定値にはではなく、図５にように一定の角速度ωで回るようになる。そこで
θ２  ＝  θ１＋ω
θ３  ＝  θ１＋２ω
θ４  ＝  θ２−θ１  ＝  （θ１＋ω）  −  θ１
θ５  ＝  θ３−θ２  ＝  （θ１＋２ω）−（θ１＋ω）
θ６  ＝  θ５−θ４  ＝  ０
の式により、θ６は０度になる。
【００２６】
また入力映像信号の放送方式がＰＡＬ−Ｍ方式のように位相反転している場合において、システムクロックがバーストにロックしていなければ、同様にバースト位相角検出回路３から出力される位相角θ１は角速度ωで回るようになり、
θ２  ＝  θ１  −  π／２  ＋  ω
θ３  ＝  θ２  ＋  π／２  ＋  ω  ＝  θ１  ＋  ２ω
θ４  ＝  θ２  −  θ１  ＝  −π／２  ＋  ω
θ５  ＝  θ３  −  θ２  ＝  π／２  ＋  ω
θ６  ＝  θ５  −  θ４  ＝  π
の式より、θ６は１８０度になる。つまり減算回路８で得られるθ６はＮＴＳＣ方式のようにバースト信号の位相が常に一定の場合は０度付近の値に、ＰＡＬ−M方式のように位相反転する場合は１８０度付近の値になる。
【００２７】
上記で得られたθ６は比較回路９に入力され、しきい値と比較され、位相反転の有無を判別することが出来る。
【００２８】
そこで例えばθ６が
−９０度＜  θ６  ＜  ＋９０度
の場合は位相反転なしと判別して、それ以外の場合は、位相反転有りとすることが出来る。
【００２９】
（実施の形態２）
図６は本発明の放送方式判別装置の第２の実施例を示している。図６において１０１は入力される映像信号からバースト信号を抽出するバースト抜き取り回路、１０２はバースト信号をEY-B信号とEY-R信号にデコードするクロマデコード回路、１０３はEY-B信号とEY-R信号からバースト信号の位相角を検出するバースト位相角検出回路、１０４、１０６は１水平走査期間ホールドさせるサンプルホールド回路、１０５は減算回路、１０７は加算回路、１０９は比較回路、１１０はしきい値、１１１は入力される映像信号から水平同期信号を分離する水平同期分離回路である。
【００３０】
以上のように構成された放送方式判別回路について、実施の形態１と同様の部分は省略して図６を用いて説明する。バースト位相角検出回路１０３より出力されたサンプルホールド回路１０４によって１水平走査期間ホールドされて減算回路１０８でバースト位相角の差分θ１０１を求める。
【００３１】
ここで本装置の放送方式設定がＮＴＳＣ方式つまりシステムクロックが色副搬送波周波数ｆSC-NTSCの逓倍で動作して入力映像信号がＮＴＳＣ方式の場合はバースト信号の位相角は常に一定であり、θ１０１、θ１０２は常に０度付近である。また本装置の放送方式設定がＰＡＬ−Ｍ方式つまりシステムクロックが色副搬送波周波数ｆSC-PALMの逓倍で動作して入力映像信号がＰＡＬ−Ｍ方式の場合はバースト信号が位相反転しているため、θ１０１は＋９０度と−９０度を繰り返し、θ１０２は常に０度付近である。
【００３２】
ところが放送方式設定がＮＴＳＣ方式つまりシステムクロックが色副搬送波周波数ｆSC-NTSCの逓倍で動作しているが入力映像信号がＰＡＬ−Ｍ方式の場合は
【００３３】
【数６】
0003864797.tif 000007
【００３４】
【数７】
0003864797.tif 000008
【００３５】
の関係より、ｆSC-NTSCとｆSC-PALMがほぼ等しいため１水平走査期間でバースト信号のサンプリング点が９０度ずれていく。更にＰＡＬ−Ｍ方式のバースト位相は１Ｈ毎に９０度反転している為、減算回路１０５の出力値θ１０１の１Ｈ毎の変化（θ１h、θ２h、θ３h、θ４h）とすると
【００３６】
【数８】
0003864797.tif 000009
【００３７】
【数９】
0003864797.tif 000010
【００３８】
【数１０】
0003864797.tif 000011
【００３９】
【数１１】
0003864797.tif 000012
【００４０】
となり、０度と１８０度を繰り返す。図式すると図７のようになる。加算回路１０７では
θ１ｈ＋θ２ｈ、θ２ｈ＋θ３ｈ、‥
が演算されるため、θ１０２は１８０度を出力する。放送方式設定がＰＡＬ−Ｍ方式つまりシステムクロックが色副搬送波周波数ｆSC-PALMの逓倍で動作しているが入力映像信号がNTSC方式の場合はθ１０１は常に９０度付近であり、θ１０２は１８０度付近を出力する。
【００４１】
最後に比較器１０９でθ１０２が
−９０度＜  θ１０２  ＜  ＋９０度
の時は位相反転なしと判別され、それ以外の場合は位相反転ありと判別することが出来る。
【００４２】
【発明の効果】
以上のように本発明の第１の手段を用いれば、ＮＴＳＣ方式のようにバースト位相が一定の映像信号が入力されたときは位相反転無しと判別され、ＰＡＬ、ＰＡＬ−Ｎ、ＰＡＬ−Ｍ方式のように１Ｈ毎に位相反転している映像信号が入力されたときには、位相反転有りと判別することが出来る。
【００４３】
また、色副搬送波周波数の近いＮＴＳＣ方式とＰＡＬ−Ｍ方式の２放送方式のみを判別する場合には、本発明の第２の手段を用いれば第１の手段より演算回路を削減してＰＡＬ−Ｍ方式の映像信号が入力されたときに位相反転ありと判別することが出来る。
【図面の簡単な説明】
【図１】本発明の第１の実施の形態による放送方式判別装置を示す構成図
【図２】本発明の第１の実施の形態による放送方式判別装置のバースト位相角検出回路においてバースト位相角を説明するための図
【図３】本発明の第１の実施の形態による放送方式判別装置のバースト位相角検出回路において位相角検出を説明するための図
【図４】本発明の第１の実施の形態による放送方式判別装置のサンプルホールド回路の出力タイミング図
【図５】本発明の第１の実施の形態による放送方式判別装置の第３の減算回路の出力を説明するための図
【図６】本発明の第２の実施の形態による放送方式判別装置を示す構成図
【図７】本発明の第２の実施の形態による放送方式判別装置において減算回路の出力を説明するための図
【図８】従来の放送方式判別装置を示す構成図
【符号の説明】
１，１０１，２０３  バースト抜き取り回路
２，１０２  クロマデコーダ回路
３，１０３，２０３  バースト位相角検出
４，５，１０４，１０６  サンプルホールド回路
６，７，８，１０５，２０２  減算回路
１０７  加算回路
９，１０９  比較器回路
１０，１１０，２０６  しきい値
１１，１１１  水平同期分離回路
２０１  ２Ｈ遅延回路
２０４  バンドパスフィルタ
２０５  バーストレベル比較回路
２２，２３  バースト信号平均回路
２４  位相算出回路
θ１，θ２，θ３  位相角
θ４，θ５  １Ｈ差分位相角
θ６  差分位相角
【図１】
0003864797.tif 000013
【図２】
0003864797.tif 000014
【図３】
0003864797.tif 000015
【図４】
0003864797.tif 000016
【図５】
0003864797.tif 000017
【図６】
0003864797.tif 000018
【図７】
0003864797.tif 000019
【図８】
0003864797.tif 000020